(57)【要約】【課題】被施療者の両手が自由な状態で使用することができ、しかも被施療者の肩の掴み揉みを行うことができるマッサージ機を提供する。【解決手段】マッサージ機１が、椅子１７の背凭れ部１８に対して取り付けることが可能な取付部２と、該取付部２が椅子１７の背凭れ部１８に取り付けられたときに、前記背凭れ部１８の前方へ突出するように、前記取付部２に設けられた突出部３と、該突出部３に設けられ、前記椅子１７に着座した被施療者の肩を押圧する施療子４，５とを備える。施療子４，５は、突出部３の突出方向に離隔した二箇所に設けられており、施療子４と、施療子５とが、夫々の被施療者の肩に当接する部分が、互いに近接又は離反するように構成されている。【選択図】　図３
2004033583.tif 000002
【特許請求の範囲】
【請求項１】
椅子の背凭れ部に対して取り付けることが可能な取付部と、
該取付部が椅子の背凭れ部に取り付けられたときに、前記背凭れ部の前方へ突出するように、前記取付部に設けられた突出部と、
該突出部に設けられ、前記椅子に着座した被施療者の肩を押圧する施療子とを備えることを特徴とするマッサージ機。
【請求項２】
２つの前記突出部が設けられており、夫々の突出部は、前記取付部が椅子の背凭れ部に取り付けられたときに、前記背凭れ部の幅方向に互いに離隔して配されることを特徴とする請求項１に記載のマッサージ機。
【請求項３】
背凭れ部を備える椅子型のマッサージ機において、
前記背凭れ部から前方へ突出する突出部と、
該突出部に設けられ、前記椅子に着座した被施療者の肩を押圧する施療子とを備えることを特徴とするマッサージ機。
【請求項４】
２つの前記突出部が設けられており、夫々の突出部は、前記背凭れ部の幅方向に互いに離隔して設けられていることを特徴とする請求項３に記載のマッサージ機。
【請求項５】
前記突出部は、その突出方向に離隔した二箇所に、前記施療子が夫々設けられていることを特徴とする請求項１乃至４の何れかに記載のマッサージ機。
【請求項６】
前記突出部の一箇所に設けられた施療子と、他の箇所に設けられた施療子とは、夫々の被施療者の肩に当接する部分が、互いに近接又は離反するように構成されていることを特徴とする請求項５に記載のマッサージ機。
【請求項７】
被施療者の頸部を囲むための凹状部分が形成されており、該凹状部分の両側方に被施療者の肩に被せられる肩受け部分を有する本体部と、
該本体部の肩受け部分に設けられ、被施療者の肩を押圧する施療子とを備えることを特徴とするマッサージ機。
【請求項８】
前記本体部は、前記肩受け部分が、被施療者の肩を前後に被うべく凹状に形成されていることを特徴とする請求項７に記載のマッサージ機。
【請求項９】
前記施療子は、被施療者の肩の前後を夫々押圧すべく、前記肩受け部分の凹状内側の対向部分に夫々設けられていることを特徴とする請求項８に記載のマッサージ機。
【発明の詳細な説明】
【０００１】
【発明の属する技術分野】
本発明は、被施療者の肩を押圧することによって、被施療者を施療するマッサージ機に関する。
【０００２】
【従来の技術】
被施療者の肩に刺激を与え、肩こり等を施療するマッサージ機がある。従来のこの種のマッサージ機としては、湾曲した略棒状をなす本体の一端に、電動式のバイブレータ等から構成された施療子を備え、他端に被施療者が把持するための柄を備える手持ち式のマッサージ機が一般的である。このマッサージ機は、被施療者が柄を把持して、例えば、本体が被施療者の肩を前方から後方へ覆い被さり、施療子が被施療者の肩に当接するように配され、この状態で施療子を動作させて使用される。
【０００３】
また、この他のマッサージ機としては、椅子型のマッサージ機が広く普及している。図１０は、椅子型のマッサージ機の構成の一例を示す斜視図である。図１０に示すように、椅子型のマッサージ機１０１は、座部１０２と、背凭れ部１０３とから主として構成されている。座部１０２の両側方には、肘掛け部１０４が設けられている。また、背凭れ部１０３の内部には、マッサージ機構１０５が設けられている。被施療者は、座部１０２に着座し、肘掛け部１０４を腕置きとして用いて、マッサージ機１０１を使用する。また、背凭れ部１０３の下端部は、座部１０２の後部で回動自在に枢支されており、背凭れ部１０３をリクライニングさせることができるようになっている。
【０００４】
マッサージ機構１０５は、略Ｖ字状をなす２つのアームを有しており、夫々のアームの両端に１つずつ、合計４つの略球状の施療子が取り付けられている。夫々のアームは、左右（ここでは、マッサージ機１０１に着座した被施療者から見たときの左右をいう）に配置されている。かかるアーム及び施療子は、アームの屈曲部分に接続された動作機構によって動作せしめられ、被施療者の背中に施療子を押し付けることによって、被施療者の背中に機械的刺激を与えるようになっている。また、マッサージ機構１０５は、上下方向、即ち、概ね着座した被施療者の脊椎に沿った方向へ移動することが可能であり、これによって施療位置の調節が可能となっている。従って、被施療者の肩を施療する場合には、着座した被施療者の肩に施療子が当接する位置に到達するまでマッサージ機構１０５を昇降させ、施療子が肩に当接する状態で、マッサージ機構１０５を動作させて使用される。
【０００５】
【発明が解決しようとする課題】
しかしながら、上述した如き従来の手持ち式のマッサージ機にあっては、被施療者が一方の手で柄を把持して使用するため、マッサージ機を使用しながら他の作業を行う場合等には、この作業に他方の手しか用いることができず、不便であった。
【０００６】
また、上述した如き従来の椅子型のマッサージ機は、マッサージ機構１０５が被施療者の肩を掴んで揉む所謂掴み揉みが可能な構造とされていない。人（施療者）が被施療者の肩を施療する場合には、肩の掴み揉みを行うことが多く、一般的に、この掴み揉みによって得られる刺激が被施療者にとって心地の良いものであるとされている。しかしながら、従来の椅子型のマッサージ機にあっては、マッサージ機構１０５は被施療者の肩の掴み揉みが可能な構造ではないので、被施療者の肩を施療する場合に、被施療者に与えられる刺激が、施療者が肩を施療したときに与えられる刺激と異なるものであり、被施療者が十分に満足を得られるだけの刺激を与えることができないという問題があった。
【０００７】
本発明は斯かる事情に鑑みてなされたものであり、被施療者の両手が自由な状態で使用することができ、しかも被施療者の肩の掴み揉みを行うことができるマッサージ機を提供することを目的とする。
【０００８】
【課題を解決するための手段】
本発明に係るマッサージ機は、椅子の背凭れ部に対して取り付けることが可能な取付部と、該取付部が椅子の背凭れ部に取り付けられたときに、前記背凭れ部の前方へ突出するように、前記取付部に設けられた突出部と、該突出部に設けられ、前記椅子に着座した被施療者の肩を押圧する施療子とを備えることを特徴とする。
【０００９】
また、本発明に係るマッサージ機は、背凭れ部を備える椅子型のマッサージ機において、前記背凭れ部から前方へ突出する突出部と、該突出部に設けられ、前記椅子に着座した被施療者の肩を押圧する施療子とを備えることを特徴とする。
【００１０】
本発明に係るマッサージ機にあっては、例えば、椅子の背凭れ部から、椅子に着座した被施療者の肩（両肩又は一方の肩の何れでもよい）の上方に張り出すように突出部を配し、被施療者の肩に施療子を当接させることで、被施療者の肩を施療しているときであっても、被施療者の両手が自由となり、従来に比して利便性を向上させることができる。
【００１１】
また、上記発明においては、２つの前記突出部が設けられており、夫々の突出部が、前記背凭れ部の幅方向に互いに離隔して配される構成とすることが望ましい。
【００１２】
これにより、両肩の上方夫々に突出部を配し、両肩に夫々施療子を当接させることで、被施療者の両肩を同時に施療することが可能となる。
【００１３】
また、上記発明においては、前記突出部が、その突出方向に離隔した二箇所に、前記施療子が夫々設けられている構成とすることが望ましい。
【００１４】
これにより、被施療者の肩の前後二箇所を、夫々施療子によって押圧することができ、特に両施療子によって被施療者の肩を同時に押圧した場合には、肩の掴み揉み又はこれに類似した刺激を被施療者に与えることが可能となる。
【００１５】
また、この場合においては、前記突出部の一箇所に設けられた施療子と、他の箇所に設けられた施療子とは、夫々の被施療者の肩に当接する部分が、互いに近接又は離反するように構成されていることが望ましい。
【００１６】
これにより、両施療子の被施療者の肩に当接する部分が互いに近接した場合には、被施療者の肩を掴むこととなり、前記部分が近接又は離反を繰り返すことで、肩の掴み揉みを行うことが可能となる。
【００１７】
また、本発明に係るマッサージ機は、被施療者の頸部を囲むための凹状部分が形成されており、該凹状部分の両側方に被施療者の肩に被せられる肩受け部分を有する本体部と、該本体部の肩受け部分に設けられ、被施療者の肩を押圧する施療子とを備えることを特徴とする。
【００１８】
これにより、被施療者の頸部を凹状部分で囲み、被施療者の肩に肩受け部分を被せた状態で、施療子によって被施療者の肩を押圧することで、被施療者の肩を施療時に、被施療者の両手が自由となり、従来に比して利便性を向上させることができる。
【００１９】
また、この場合においては、前記本体部は、前記肩受け部分が被施療者の肩を前後に被うべく凹状に形成されていることが望ましく、更に、前記施療子は、被施療者の肩の前後を夫々押圧すべく、前記肩受け部分の凹状内側の対向部分に夫々設けられている構成とすることが望ましい。
【００２０】
これにより、被施療者の肩の前後を肩受け部分の凹状内側の対向部分に夫々設けられた両施療子によって押圧することができ、特に両施療子によって被施療者の肩を同時に押圧した場合には、肩の掴み揉み又はこれに類似した刺激を被施療者に与えることが可能となる。
【００２１】
【発明の実施の形態】
以下、本発明の実施の形態について図面を参照しながら説明する。
【００２２】
（実施の形態１）
図１及び図２は、本発明の実施の形態１に係るマッサージ機の構成を示す側面図及び下面図である。図１及び図２に示すように、本発明の実施の形態１に係るマッサージ機１は、取付部２と、突出部３と、施療子４，５とによって主として構成されている。取付部２は、横長の略直方体形状をなしており、その両端部の前方（マッサージ機１を被施療者が使用する場合に、被施療者から見たときの前方をいう。また、以下において左とはマッサージ機１を被施療者が使用する場合に、被施療者から見たときの左をいい、右とは同被施療者から見たときの右をいう。）に、夫々突出部３が配されている。また、取付部２には、略上下方向へ延びた２つの取付孔２ａが、左右に離隔して設けられている。これらの取付孔２ａは、後述するようにマッサージ機１の椅子への取り付けに用いられる。
【００２３】
突出部３は、ベース部６と、該ベース部６の前方に設けられた施療部７とによって主として構成されている。２つのベース部６は、取付部２の両端前方に夫々配されており、夫々が次のようにして取付部２に枢着されている。
【００２４】
取付部２の両端部の上下端からは、夫々支持部分８が前方へ突出されている。また、ベース部６の後部には、上下に配された一対の突出部分９が突出している。この突出部分９は、上下に配された一対の前記支持部分８の間に配され、上側の支持部分８と上側の突出部分９とが上下方向のピン１０によってピン接合され、これと同軸的に配されたピン１１によって下側の支持部分８と下側の突出部分９とがピン接合されている。従って、ベース部６は、取付部２に対して、横方向へ回動することが可能となっている。
【００２５】
夫々のベース部６の前方には、前記施療部７が各別に配されている。施療部７は、上下に配された２つの蛇腹状の空気袋１２によって、ベース部６と連結されている。また、施療部７の後端面の両空気袋１２の間には、左右に配された２つの支持部分１３が設けられている。この支持部分１３の夫々には、前後方向へ延びた丸棒状のガイド棒１４が各別に取り付けられている。夫々の支持部分１３には、ガイド棒１４の前端部分が、横方向へ延びたピンによってピン接合されている。
【００２６】
また、ベース部６の上下方向中央部分には、その中心軸が前後方向へ延びた丸孔１４ａが左右に２つ設けられており、夫々の丸孔１４ａを前記ガイド棒１４が貫通し、ガイド棒１４の後端部が、ベース部６の上下の前記突出部分９の間の空間内に突出している。従って、両空気袋１２が、夫々膨張・収縮することにより、ベース部６に対して施療部７が前後方向へ移動することとなるが、この移動時に、ガイド棒１４が丸孔１４ａ内を移動することによって施療部７が前記丸孔１４ａの軸長方向へ案内される。
【００２７】
施療部７は、前後方向へ延びた略縦板状をなし、その横幅、即ち左右方向の寸法が、ベース部６の横幅の寸法と略同一とされた部材である。施療部７の後端から所定距離前方の部分までは、施療部７の下面は略水平に形成されており、この範囲ではベース部６と略同寸の縦幅となっている。施療部７の下面のこれより前方の部分は、前方へ向かうに従って上昇するテーパ面とされており、このテーパ面の前端から更に前方の部分は、水平面とされている。換言すれば、施療部７の下面は、前後端部が夫々高さの異なる水平面とされており、その間の中間部が前方へ傾斜したテーパ面とされている。
【００２８】
また、施療部７の下面の前側の水平面からは施療子４が、テーパ面からは施療子５が夫々突出している。施療子４は、円弧状に湾曲した略丸棒状をなしており、その下端部分が前記水平面の前端部から突出しており、その他の部分が施療部７の内部に埋入されている。施療子４の下端面は、略球冠状をなす凸形状とされており、その近傍部分に板状の案内部材１５が取り付けられている。案内部材１５は、施療子４の後方へ延びており、その後端（基端）が、施療部７の下部に、横方向に延びた枢軸によって枢着されている。従って、案内部材１５は、この枢軸を中心として略前後方向に回動することが可能となっている。
【００２９】
また、施療子４は、空気袋、エアシリンダ又は電動モータ等のアクチュエータによって施療部７の下面から進出又は退入することが可能となっている。ところで、施療子４は、前述したように案内部材１５の先端に取り付けられているので、施療部７に対して進退するときに、案内部材１５の回動方向へ案内されることとなる。また、施療子４の湾曲の曲率は、案内部材１５によって案内される方向の曲率と略同一とされており、また湾曲の方向も、前記案内の方向と略同一とされている。これによって、施療子４が、その湾曲方向に沿って施療部７に対して進退することとなる。
【００３０】
一方、施療子５は、直線的な略丸棒状をなしており、前記テーパ面の法線方向にその軸長方向を合わせて、その下端部分がテーパ面の略中央部から突出し、その他の部分が施療部７の内部に埋入されるように配されている。施療子５の下端面は、施療子４と同様に、略球冠状をなす凸形状とされており、その近傍部分に板状の案内部材１６が取り付けられている。案内部材１６は、施療子５の前方へ延びており、その前端（基端）が、施療部７の下部であって、案内部材１５の枢着箇所より若干後方の部分に、横方向に延びた枢軸によって枢着されている。従って、案内部材１６は、この枢軸を中心として略前後方向に回動することが可能となっている。
【００３１】
また、施療子５も、施療子４と同様に、空気袋、エアシリンダ又は電動モータ等のアクチュエータによって施療部７の下面から進出又は退入することが可能となっている。また、施療子５は、案内部材１６の先端に取り付けられているので、施療部７に対して進退するときに、案内部材１６の回動方向へ案内されることとなる。
【００３２】
次に、マッサージ機１の使用について説明する。図３は、本発明の実施の形態１に係るマッサージ機１の一使用例を示す斜視図である。図３に示すように、例えば椅子１７の背凭れ部１８の上面に、ヘッドレスト取り付け用の取付棒１９が設けられている場合、この取付棒１９を前述したマッサージ機１の取付孔２ａに貫通せしめ、取付部２に設けられたロック機構（図示せず）によって、取付棒１９の被施療者の体格に合致する位置に取付部２を固定する。
【００３３】
図４〜図６は、本発明の実施の形態１に係るマッサージ機１の動作を説明するための斜視図である。図４に示すように、マッサージ機１は、ベース部６及び施療部７を、ピン１０，１１を中心として横方向へ一体的に回動させることにより、被施療者の体格に合わせて、突出部３の位置調節が可能である。これは、手動によって突出部３を回動させる構造とすることもできるし、例えば電動モータによって突出部３を回動させる構造とすることもできる。
【００３４】
更に、図５に示すように、空気袋１２を伸縮させることにより、施療子４，５の位置の調節を行うこともできる。例えば、上下の両空気袋１２を、全ストロークの中間の長さから伸長させた場合には、施療子４，５は前方へ移動することとなるし、逆に両空気袋１２を縮短させた場合には、施療子４，５は後方へ移動することとなる。また、上側の空気袋１２を伸長させ、下側の空気袋１２を縮短させた場合には、施療部７の先端が下方へ移動することとなる。このとき、ガイド棒１４の前端部分と支持部分１３とが回動自在とされていることから、施療部７は、この支持部分１３を中心として下方へ回動することとなり、施療部７の移動が妨げられることはない。また、上側の空気袋１２を縮短させ、下側の空気袋１２を伸長させた場合には、施療部７の先端が上方へ移動する。
【００３５】
このような空気袋１２の伸縮による施療部７の移動は、左右の施療部７の夫々について独立して行ってもよいし、両施療部７を同時に同じ量だけ同一方向へ移動させるようにしてもよい。
【００３６】
また、図６に示すように、施療子４，５を施療部７に対して進退させ、施療子４の先端と施療子５の先端とを互いに近接又は離反させることにより、被施療者の肩の掴み揉みを行うことができる。
【００３７】
なお、本実施の形態１においては、マッサージ機１の取付部２に、椅子１７の背凭れ部１８に、ヘッドレスト取り付け用の取付棒１９を貫通させるための取付孔２ａを設け、これに取付棒１９を貫通させることによって椅子１７に取り付ける構造としたマッサージ機１について述べたが、これに限定されるものではなく、例えば、図７に示すような構造としてもよい。
【００３８】
図７は、本発明の実施の形態１に係るマッサージ機の他の例の構成を示す斜視図である。本例においては、ヘッドレストの取り付け用の取付棒が設けられていない椅子２０へマッサージ機１を取り付ける際に、取付補助部２１を使用する構成について説明する。取付補助部２１は、左右を長手方向として、開口部が下方を向くように配されたチャネル部材２２と、該チャネル部材２２の上面に、左右に離隔して設けられた２つの取付棒２３とによって構成されている。図７に示すように、椅子２０の背凭れ部２０ａの上端に、チャネル部材２２を被せるように配置し、取付棒２３を、マッサージ機１の取付部２の取付孔２ａに貫通させることによって、マッサージ機１を椅子２０に取り付けることができる。
【００３９】
（実施の形態２）
図８は、本発明の実施の形態２に係るマッサージ機の構成を示す斜視図である。図８に示す如く、本実施の形態２に係るマッサージ機２４は、座部２５，背凭れ部２６，及びフットレスト２７から主として構成されている。座部２５は、水平配置された棒状の脚部２８をその下部両側に夫々有する基台２９の上部に、クッション部３０が配されて構成されている。クッション部３０は、ウレタンフォーム，スポンジ，又は発泡スチロール製の内装材（図示せず）が基台２９の上面に載置されており、更にこれをポリエステル製の起毛トリコット，合成皮革，又は天然皮革等からなる外装材にて覆って構成されている。
【００４０】
座部２５の上部前側（マッサージ機２４に着座した被施療者から見たときの前側をいう。また、以下において左とはマッサージ機２４に着座した被施療者から見たときの左をいい、右とは同被施療者から見たときの右をいう。）には、被施療者の足首及び脹脛をマッサージするためのフットレスト２７の上端部が枢着されている。これにより、フットレスト２７は、その上端部を中心にして前後に回動可能とされている。
【００４１】
更に座部２５の後部には、背凭れ部２６が設けられている。背凭れ部２６は、被施療者の上半身を支持すべく、一般的な体格の成人がマッサージ機２４に着座した際に、該成人の身体の一部がその外部にはみ出ない程度の大きさとされており、前面視略長方形をなしている。背凭れ部２６の下端部は、座部２５の後部に横方向の枢軸によって枢支されており、この枢軸を中心に背凭れ部２６が回動することにより、前後にリクライニングが可能とされている。また背凭れ部２６の両側部には、基台２９に固定支持された肘掛け部３１が夫々設けられている。
【００４２】
背凭れ部２６の前面には、縦長の２つのスリット３２が左右に設けられている。このスリット３２は、背凭れ部２６の内部に連通しており、夫々のスリット３２から、施療部３３が前方へ突出している。これらの施療部３３には、被施療者の肩を施療する施療子３４，３５が夫々設けられている。
【００４３】
なお、施療部３３、施療子３４，３５の構成については、実施の形態１に係る施療部７、施療子４，５の構成と同様であるので、その説明を省略する。
【００４４】
施療部３３の後端部は、背凭れ部２６の内部に配されており、背凭れ部２６に内蔵されている図示しない移動機構に連なっている。施療部３３は、この移動機構の動作によって、スリット３２の長さの範囲で、昇降することが可能となっている。従って、被施療者の体格に合わせて、施療部３３の高さの調節を行うことが可能となる。
【００４５】
（実施の形態３）
図９は、本発明の実施の形態３に係るマッサージ機の構成を示す斜視図である。本実施の形態３に係るマッサージ機３６は、略Ｕ字状をなしており、被施療者の頸部を囲む凹状部分が形成された本体部３７を備えている。本体部３７の両側部は、被施療者の肩に被せられる肩受け部分３８とされている。これらの肩受け部分３８は、被施療者の肩を前後に被うべく凹状に形成されており、その凹状内側の対向部分に、夫々施療子３９が設けられている。
【００４６】
施療子３９は、空気袋によって構成されており、本体部３７の外部に設けられた給排気装置４０に空気チューブ４１を介して接続されている。給排気装置４０は、略直方体形状をなしており、その内部に空気ポンプ及び各種の弁等を備え、空気チューブ４１を通じて施療子３９に対して吸気又は排気を行うことが可能となっている。
【００４７】
また、本体部３７の被施療者の頸部を受ける凹状の底の部分は、凹状の開口側と反対側に延設されており、枕部分４２となっている。この枕部分４２は、その内部にウレタンフォー部，スポンジ，又は発泡スチロール製の内装材が配されており、弾性を有するように構成されている。
【００４８】
このようなマッサージ機３６は、本体部３７を被施療者の頸部を後方から包み込むようにして使用される。また、枕部分４２は、被施療者の頭部を受ける枕として使用される。また、本体部３７は、肩受け部分３８が被施療者の肩を前後に挟み込むようにして被施療者の首周りに取り付けられる。これによって、肩の前部及び後部に施療子３９が位置する。
【００４９】
給排気装置４０の動作により、施療子３９が膨張・収縮し、施療子３９が被施療者の肩の前部及び後部を押圧することとなる。このとき、前後に夫々配された施療子３９を、同時に膨張・収縮させることにより、肩の掴み揉みを行うことができる。
【００５０】
また、マッサージ機３６を使用するときには、例えば図９に示すように椅子に着座したり、ベッドに横たわって、被施療者の姿勢をリラックスさせることにより、より一層マッサージの効果を高めることが期待できる。
【００５１】
【発明の効果】
以上詳述した如く、本発明に係るマッサージ機によれば、被施療者の両手を自由としたまま、被施療者の肩に施療子を施療することができ、従来に比して利便性を向上させることができる。
【００５２】
また、被施療者の肩の前後二箇所を、夫々施療子によって押圧することにより、肩の掴み揉み又はこれに類似した刺激を被施療者に与えることが可能となる等、本発明は優れた効果を奏する。
【図面の簡単な説明】
【図１】本発明の実施の形態１に係るマッサージ機の構成を示す側面図である。
【図２】本発明の実施の形態１に係るマッサージ機の構成を示す下面図である。
【図３】本発明の実施の形態１に係るマッサージ機の一使用例を示す斜視図である。
【図４】本発明の実施の形態１に係るマッサージ機の動作を説明するための斜視図である。
【図５】本発明の実施の形態１に係るマッサージ機の動作を説明するための斜視図である。
【図６】本発明の実施の形態１に係るマッサージ機の動作を説明するための斜視図である。
【図７】本発明の実施の形態１に係るマッサージ機の他の例の構成を示す斜視図である。
【図８】本発明の実施の形態２に係るマッサージ機の構成を示す斜視図である。
【図９】本発明の実施の形態３に係るマッサージ機の構成を示す斜視図である。
【図１０】従来の椅子型のマッサージ機の構成の一例を示す斜視図である。
【符号の説明】
１　マッサージ機
２　取付部
２ａ　取付孔
３　突出部
４，５　施療子
６　ベース部
７　施療部
１２　空気袋
１５，１６　案内部材
１７　椅子
１８　背凭れ部
１９　取付棒
２０　椅子
２０ａ　背凭れ部
２１　取付補助部
２２　チャネル部材
２３　取付棒
２４　マッサージ機
２６　背凭れ部
３２　スリット
３３　施療部
３４，３５　施療子
３６　マッサージ機
３７　本体部
３８　肩受け部分
３９　施療子
４０　給排気装置
４２　枕部分
【図１】
2004033583.tif 000003
【図２】
2004033583.tif 000004
【図３】
2004033583.tif 000005
【図４】
2004033583.tif 000006
【図５】
2004033583.tif 000007
【図６】
2004033583.tif 000008
【図７】
2004033583.tif 000009
【図８】
2004033583.tif 000010
【図９】
2004033583.tif 000011
【図１０】
2004033583.tif 000012